(57)【要約】【目的】装置の設置に際して電源工事無しに簡単に設置できる水圧マッサージ機を提供することにある。【構成】ポンプが吐出する液体をノズル（１１）へ導き、ノズル（１１）から可撓膜（３０）に向けて投射する水圧マッサージ機（１５）において、単相１００Ｖを得て三相２００Ｖを出力するインバーター（１）と、三相２００Ｖ用の三相ポンプ（２）とを備え、三相ポンプ（２）から高吐出力の液を得、この吐出した液によって好適マッサージ感を得るようにしたことを特徴とする水圧マッサージ機である。【選択図】　　　図１
2004089541.tif 000002
【特許請求の範囲】
【請求項１】
ポンプが吐出する液体をノズル（１１）へ導き、ノズル（１１）から可撓膜（３０）に向けて投射する水圧マッサージ機（１５）において、
単相１００Ｖを得て三相２００Ｖを出力するインバーター（１）と、三相２００Ｖ用の三相ポンプ（２）とを備え、
三相ポンプ（２）から高吐出力の液を得、この吐出した液によって好適マッサージ感を得るようにしたことを特徴とする水圧マッサージ機。
【請求項２】
液体加温用のヒーター（３）と、ヒーター（３）及び三相ポンプ（２）を制御する制御部（４）を付加設置し、
前記制御部（４）は、ＡＣ１００Ｖ電源の電流が規定値を越えないように、ヒーター（３）と三相ポンプ（２）のうちヒーター（３）を切り三相ポンプ（２）を駆動するという優先付け機能を有し、
該優先付け機能に基づいて、三相ポンプ（２）を優先駆動させ、電流が前記規定値以内で最適な噴射制御を行なうことを特徴とする請求項１記載の水圧マッサージ機。
【請求項３】
ノズル（１１）を一基とし、該ノズル（１１）は縦・横移動できるものである請求項１又は２記載の水圧マッサージ機。
【請求項４】
三相ポンプ（２）からノズル（１１）までの間のホース（１２）の内径を三相ポンプ（３）吐出口（１３）内径と略同等又は同等以上としたものであることを特徴とする請求項１又は２又は３記載の水圧マッサージ機。
【請求項５】
ポンプが吐出する液体をノズル（１１）へ導き、ノズル（１１）から可撓膜（３０）に向けて投射する水圧マッサージ機（１５）において、
単相１００Ｖ用の複数の単相ポンプ（１６）を設け、該各単相ポンプ（１６）が吐出する液体を一箇所に合流させた後ノズル（１１）へ与えるもであって、
複数の前記単相ポンプ（１６）のうち、駆動させる単相ポンプ（１６）の数を増減させることによって、ノズル（１１）が吐出する液体の吐出力を増減調節することを特徴とする水圧マッサージ機。
【請求項６】
ノズル（１１）内に整流器（３９）が形成され、吐出液の直進性が図られたことを特徴とした請求項１乃至５記載の水圧マッサージ機。
【請求項７】
インバーター（１）は、入力された商用交流電源を、直流に変換し、変換した直流を、周波数３０Ｈｚ乃至６０Ｈｚの間でリニアに商用電源周波数に関係無しに変更可能な三相２００Ｖに変換し、変換した交流電力をもって三相ポンプ（２）の回転数を制御するものであり、
周波数変更制御された三相ポンプ（２）に繋がれるノズル（１１）から、圧力の異なる噴射水を容易に得ることが可能である請求項１記載の水圧マッサージ機。
【発明の詳細な説明】
【０００１】
【産業上の利用分野】
本発明は、臥姿勢の人体の頚部、体幹及び下肢を、噴流水圧によりマッサージする水圧マッサージ機に関する。
【０００２】
【従来の技術】
従来の技術として、特開２０００−１５７５８９号公報に、水貯蔵タンクと、シリコンベッドと、流量ノズルと、吐出部と、吸入部と、ポンプと、吐出管と、インバーター駆動回路と、三相電動機等で構成される流体按摩医療機器が開示されている。
【０００３】
【発明が解決しようとする課題】
前記の従来の技術は、強いマッサージ刺激感を得るため、三相２００Ｖまたは単相２００Ｖの電源を必要とし、装置の設置に際して、電源工事を伴ない、面倒で且つコスト高となった。
【０００４】
本発明の目的は、上記難点を解決したものであり、装置の設置に際して電源工事無しに簡単に設置できる水圧マッサージ機を提供することにある。
【０００５】
【課題を解決するための手段】
即ち本発明は、ポンプが吐出する液体をノズル（１１）へ導き、ノズル（１１）から可撓膜（３０）に向けて投射する水圧マッサージ機（１５）において、単相１００Ｖを得て三相２００Ｖを出力するインバーター（１）と、三相２００Ｖ用の三相ポンプ（２）とを備え、三相ポンプ（２）から高吐出力の液を得、この吐出した液によって好適マッサージ感を得るようにしたことを特徴とする水圧マッサージ機である。
又、液体加温用のヒーター（３）と、ヒーター（３）及び三相ポンプ（２）を制御する制御部（４）を付加設置し、前記制御部（４）は、ＡＣ１００Ｖ電源の電流が１５Ａを越えないように、ヒーター（３）と三相ポンプ（２）のうちヒーター（３）を切り三相ポンプ（２）を駆動するという優先付け機能を有し、該優先付け機能に基づいて、三相ポンプ（２）を優先駆動させる。
更に、ノズル（１１）を一基とし、該ノズル（１１）は縦・横移動できるものである。
更に又、三相ポンプ（２）からノズル（１１）までの間のホース（１２）の内径を三相ポンプ（３）吐出口（１３）内径と略同等又は同等以上としたものである。
或いは、単相１００Ｖ用の複数の単相ポンプ（１６）を設け、該各単相ポンプ（１６）が吐出する液体を一箇所に合流させた後ノズル（１１）へ与えるもであって、前記単相ポンプ（１６）のうち、駆動させる単相ポンプ（１６）の数を増減させることによって、ノズル（１１）が吐出する液体の吐出力を増減調節する。
又、ノズル（１１）内に整流器（３９）が形成され、吐出液の直進性が図られる。
更に、インバーター（１）は、入力された商用交流電源を、直流に変換し、変換した直流を、周波数３０Ｈｚ乃至６０Ｈｚの間でリニアに商用電源周波数に関係無しに変更可能な三相２００Ｖに変換し、変換した交流電力をもって三相ポンプ（２）の回転数を制御するものであり、周波数変更制御された三相ポンプ（２）に繋がれるノズル（１１）から、圧力の異なる噴射水を容易に得ることが可能である。
【０００６】
【作用】
水圧マッサージ機１５の貯留槽２８に、水又は水に防腐剤を混入してなる液体を満たす。上部開口２９に張設した可撓膜３０は該可撓膜３０に乗せた人体を支持する。
ノズル１１から吐出する水を可撓膜３０に衝突させ、可撓膜３０上に仰臥した人体にマッサージを施す。
【０００７】
インバーター１は、単相１００Ｖを得て三相２００Ｖを出力する。
三相２００Ｖ用の三相ポンプ２は、インバーター１の出力を得て駆動し、貯留槽２８内の液体を循環させる。循環ライン３３中のノズル１１は三相ポンプ２から高吐出力の水を得、当該吐出水により前記人体は好適マッサージ感を得る。
【０００８】
液体加温用のヒーター３は、貯留槽２８内の液体を加温する。
制御部４は、ＡＣ１００Ｖ電源の入力電流が規定値（通常は１５Ａ）を越えないように、ヒーター３を切り三相ポンプ２を駆動するという優先付けに基づいて三相ポンプ２とヒーター３を駆動させる。
【０００９】
ノズル１１は、１基設けられており、縦・横移動できるものであり、移動しながら、前記ノズル１１から液体を可撓膜３０へ噴射する。
【００１０】
ホース１２は、三相ポンプ２からノズル１１へ加圧液体を流通させる。ホース１２は、該ホース１２の内径を三相ポンプ２の吐出口１３内径と略同等又は同等以上とし、ホース１２内での管抵抗を小さくする。管抵抗が小さい故にノズル１１は三相ポンプ２の吐出圧に近い圧をもって液体を噴射させる。
【００１１】
単相１００Ｖの複数の単相ポンプ１６は、液体を加圧する。複数の単相ポンプ１６の吐出液体を一箇所に合流させ液体圧力を高め、ノズル１１へ与える。複数の単相ポンプ１６の内、駆動させる単相ポンプ１６の数を増減してマッサージに提供する液体の吐出力を増減調節する。
【００１２】
ノズル１１内に形成される整流器３９は、該整流器３９を通過する水の流れ方向を整流し、直進性を付与し、ノズル１１が吐出する液体の分散を防ぎ、強い吐出圧の液体を可撓膜３０に与える。
【００１３】
インバーター１は、入力された商用交流電源を、直流に変換し、変換した直流を、周波数３０Ｈｚ乃至６０Ｈｚの間でリニアに商用電源周波数に関係無しに変更可能な三相２００Ｖに変換し、変換した交流電力をもって三相ポンプ２の回転数を制御する。
ノズル１１は、周波数変更制御された三相ポンプ２から加圧水を得、前記ノズル１１は、圧力の異なる水を噴射する。圧力の異なる水を噴射水をもって容易にマッサージパターンを複数個作る。
【００１４】
【実施例】
図１乃至２に本発明の第１実施例を示している。
第１実施例は、水を満たす貯留槽２８と、貯留槽２８内にあって貯留槽２８の長手方向（＝臥姿勢人体の身長方向）に移動可能に設けられるノズルユニット３１と、ノズルユニット３１を貯留槽２８の長手方向に移動させる直動機構４６と、ノズルユニット３１上に設けられるノズル１１を水平面に回動させる回動機構３７と、貯留槽２８内の水を循環させノズル１１に加圧付与する循環ライン３３とからなる。
【００１５】
前記貯留槽２８の上部開口２９には人体を乗せる可撓膜３０が張設される。
【００１６】
前記ノズルユニット３１は、下部に車輪２４が設けられた台車２３と、該台車２３に水平面で回動する回動体９と、該回動体９に設けられるノズル１１とからなる。
【００１７】
前記ノズル１１は、可撓膜３０に向かって水を噴出するものであって、貯留槽２８に乗る仰臥人体の下方に位置して一基設けられる。
【００１８】
前記ノズル１１の下部は外周に平歯車が形成される回動体９である。回動体９の内部には空洞室（図示省略）が設けられる。回動体９の回動中心から偏芯した位置に、可撓膜３０に向かって液体を噴出する前記ノズル１１が設けられる。
尚、回動体９の材料には、ステンレスを、又は、回転トルクを減らす為に樹脂材を用いる。
【００１９】
外周に従動歯車（図示省略）を形成する回動体９に設けられるノズル１１は一体化されており回動体９は軸（図示省略）に回動可能に載設される。前記軸の芯部には水路（図示省略）が形成されている。
前記軸の頂部に臨む前記水路は、空洞室（図示省略）を経由してノズル１１に繋がっている。実施例では、ノズル１１の内径を、至適ノズル内径である８乃至１２ミリとする。
【００２０】
前記軸の下部には、循環ライン３３の出水口３５に繋がるホース１２が接続され、前記軸内の前記水路を経由してノズル１１に液体を導入する。
三相ポンプ２からノズル１１までの間のホース１２の内径を三相ポンプ２の吐出口１３内径と略同等にする。実施例では、ホース１２内径を、至適ホース１２内径である略１インチとする。
尚、前記ホース１２の内径は、三相ポンプ２の吐出口１３内径より大きいものであってもよい。
【００２１】
ノズル１１の内部には整流器３９が形成される。
整流器３９は、ノズル１１の内部通水路に、薄板材を水の流通方向に並行に設置したスリットである。整流器３９の水平方向の断面形状は、丸の中に十字形を有する形、丸の中に星形を有する形等であり、これらの形状のものを適宜採用する。
【００２２】
貯留槽２８の前・後壁３２、１９に渡って回動用軸８が取着され、該回動用軸８の軸方向にスライド可能にウオームギア１０が軸着される。該ウオーム１０と前記従動歯車が噛合する。回動用軸８には、後壁１９外において、回動用モーター７が連結される。
回動用軸８の回動に伴い前記従動歯車と共に回動体９の上に設けられたノズル１１が回動する。
【００２３】
上述の構成では、前記従動歯車をノズル１１より下位に設ける。前記従動歯車、ウオーム１０及び回動用軸８等からなる回動機構３７は、回動機構３７に可撓膜３０が接触しないように、可撓膜３０より低位置に取り付けられる。
【００２４】
前記直動機構４６は、貯留槽２８の底壁２６後部に設けられる駆動プーリー３８と、底壁２６前部に設けられる従動プーリー２７と、両プーリー３８、２７に懸けられる無端索体２２と、駆動プーリー３８を回動させる移動モーター１７とからなる。
【００２５】
循環ライン３３は、貯留槽２８に設けられ貯留槽２８の水を吸水する取水口３４と、貯留槽２８に設けられホース１２と接続する箇所である出水口３５と、取水口３４から出水口３５へ向かう配管途中にあって貯留槽２８の水を吸水し加圧する三相ポンプ２と、出水口３５と台車２３の取り入れ口１４の間を連通する可撓な前記ホース１２と、ノズル１１とからなる。
【００２６】
三相ポンプ２にはインバーター１の出力の三相２００Ｖが接続される。インバーター１の入力側には単相１００Ｖに接続するプラグ３６が設けられ、プラグ３６はＡＣ１００Ｖの商用電源に接続される。
【００２７】
図２に示す電気的構成のブロック図を示す。該ブロック図は、前記プラグ３６と、プラグ３６に接続され通過する電流が規定値を超えると当該電路を遮断するサーマルプロテクタ４０と、単相１００Ｖを得て三相２００Ｖを出力するインバーター１と、インバーター１の出力を得て駆動し貯留槽２８内の液体を加圧する三相ポンプ２と、操作者が装置の開始・停止等の指示を与える操作部６と、操作部６に指示されてインバーター１及びヒーター３を制御する制御部４と、底壁２６に取着され貯留槽２８内に設けられるヒーター３と、貯留槽２８内に設けられ液体の温度を計測する温度検出器２１とからなる。
【００２８】
制御部４には、ＡＣ１００Ｖ電源の入力電流が１５Ａを越えないように、ヒーター３と三相ポンプ２とが同時に駆動しようとする時には、ヒーター３を切り三相ポンプ２のみを駆動する、という優先付け機能を有する。該優先付け機能に基づいてヒーター３を切り三相ポンプ２を駆動させる。
万が一、制御部４に単一故障が生じ、ヒーター３とインバーター１が同時に通電し、装置への流入電流が規定値を超えたとしても、ハード的にプロテクタ４０が作動し、電源を遮断する。
【００２９】
インバーター１は、三相ポンプ２の回転数を、繰り返し潮波状に漸増漸減する潮波状制御器４２と、三相ポンプ２の回転数を、繰り返し鋸歯状に漸増急減する鋸歯状制御器４３と、三相ポンプ２の回転数を、所定回転数で繰り返し、肩叩き様に断続する断続状制御器４４と、これらの三個の制御器の内一つを選択する選択器４５とからなる。前記各種制御器に対応してノズル１１から圧力の異なる噴射水を得る。
【００３０】
尚、図１中、１８は上部開口２９へベルトを張設してなる防揺部材、２０はモーター軸、２５は無端索体２２を台車２３に止着する止着具である。
【００３１】
実施例を使用する際は、貯留槽２８の上部開口２９に張設した可撓膜３０に人体を乗せ、該可撓膜３０で人体を支持する。
貯留槽２８内に設けられるノズル１１は、貯留槽２８の長手方向に移動しながら、可撓膜３０に向かって水を噴出し、該可撓膜３０を介して、人体に噴流水の衝突刺激によるマッサージを施す。
【００３２】
ノズル１１内に設けられた整流器３９は、噴出流を整え直進性を増す。
【００３３】
直動機構４６によって台車２３は前後方向に往復移動させられる。駆動プーリー３８を回動させると、ノズル１１が貯留槽２８の長手及方向に移動する。
回動用軸８を回動させると、前記従動歯車が回動し、更に、該従動歯車に取着された回動体９及びノズル１１が回動する。
【００３４】
即ち、駆動プーリー３８を回動させると、液体噴出位置が貯留槽２８の長手及方向に移動する。
回動用軸８を回動させると、液体噴出位置が回動する。
駆動プーリー３８及び回動用軸８を同時に回動させると、液体噴出位置が貯留槽２８の長手方向及び短手方向に移動する。
【００３５】
上記作動状況下で患者は、マッサージ刺激を受ける部位が身長方向及び肩幅方向に移動し、身体の所望の位置にマッサージを得る。
【００３６】
装置の電源は単相１００Ｖを使用する。単相１００Ｖをインバーター１で三相２００Ｖ変換し、三相２００Ｖを三相ポンプ２へ付与し、三相ポンプ２で加圧液をノズル１１へ与える。
【００３７】
インバーター１は、入力された商用交流電源を、直流に変換し、変換した直流を、周波数３０Ｈｚ乃至６０Ｈｚの間でリニアに商用電源周波数に関係無しに変更可能な三相２００Ｖに変換し、変換した交流電力をもって三相ポンプ２の回転数を制御する。
【００３８】
ノズル１１は、周波数変更制御された三相ポンプ２から加圧水を得、前記ノズル１１は、圧力の異なる水を噴射する。圧力の異なる水を噴射水をもってマッサージパターンを複数個作る。マッサージパターンには、三相ポンプ２の回転数を、繰り返し潮波状に漸増漸減させるマッサージパターンと、三相ポンプ２の回転数を、繰り返し鋸歯状に漸増急減させるマッサージパターンと、三相ポンプ２の回転数を、所定回転数で繰り返し、肩叩き様に断続させるマッサージパターンとが有る。各マッサージパターンによる装置作動から特有の水圧刺激が生じ、新鮮で好適なマッサージを患者に付与する。
【００３９】
貯留槽２８内の液体温度が所定温度より低い時、ヒーター３で該液体温度を加温する。前記ヒーター３で加温中に、三相ポンプ２を作動させると、装置が消費する電流が１５Ａを越える場合、制御部４に予め設定している優先則に則って、三相ポンプ２を作動する間はヒーター３が切断される。
【００４０】
尚、三相ポンプ２よりヒーター３を優先させた場合は、前記ヒーター３で加温中に、三相ポンプ２を作動さると、装置が消費する電流が１５Ａを越える場合、制御部４に予め設定している優先則に則って、三相ポンプ２は作動しない。液体温度が所定温度に達しヒーター３が切断された後では、三相ポンプ２を作動できる。
【００４１】
図３乃至５に示す第２実施例は、第１実施例のインバーター１及び三相ポンプ２を、二台の単相１００Ｖ用の単相ポンプ１６ａ、１６ｂに代えたものである。二台の容量の異なる単相ポンプ１６ａ、１６ｂを並列に設け、吐出側の二個管路は合流器５で一管路に合流させ、然る後に出水口３５へ接続する。
【００４２】
合流させた液体をノズル１１へ導く。操作部６で、制御部４を適宜操作し、複数の単相ポンプ１６ａ、１６ｂの内、駆動させる単相ポンプ１６の数を増減してマッサージに提供する合流器５の吐出力を増減調節する。
【００４３】
具体的には、小容量の単相ポンプ１６ａのみの駆動で小吐出力を得、或いは、大容量の単相ポンプ１６ｂのみの駆動で中吐出力を得、或いは、前記単相ポンプ１６ａ、１６ｂの二個を同時に駆動して大吐出力を得る等の三通りの駆動方法の内、いずれかを適宜選んで吐出力を調節する。
【００４４】
第２実施例では、単相ポンプ１６を１台のみ駆動しながらヒーター３を通電できる。例えば、４００Ｗの単相ポンプ１６を駆動させながら、１ＫＷのヒーター３を通電でき、貯留槽２８の液体を加温しながらマッサージ治療を施すことができる。
尚、二台の単相ポンプ１６の他の例では、二台が同容量の単相ポンプ１６であってもよい。
【００４５】
図５に示す第３実施例は、第２実施例の並列接続の単相ポンプ１６ａ、１６ｂを、直列接続に変更したものである。
二台の単相ポンプ１６ａ、１６ｂを直列に接続し、下流側の単相ポンプ１６ａの吐出口１３を出水口３５へ配管接続する。
【００４６】
単相１００Ｖの複数の単相ポンプ１６ａ、１６ｂの吐出液体をノズル１１へ導く。操作部６で、制御部４を適宜操作し、複数の単相ポンプ１６ａ、１６ｂの内、駆動させる単相ポンプ１６の数を増減してマッサージに提供する単相ポンプ１６の吐出力を増減調節する。
【００４７】
【発明の効果】
本発明は、単相１００Ｖを得て三相２００Ｖを出力するインバーター１と、三相２００Ｖ用の三相ポンプ２とを備え、三相ポンプ２から高吐出力の液体を得、当該吐出液による好適マッサージ感を得るようにしたものであるから、ＡＣ１００Ｖコンセントに接続でき、電源工事の必要が無くなり、好都合である。
又、高効率の三相２００Ｖ用の三相ポンプ２を使用出来るため、少ない電流入力で高吐出力を得ることができ、好都合である。
【００４８】
更に、ＡＣ１００Ｖの商用電源を使用することに起因して三相ポンプ２が小型化した。その為、消費エネルギーが節減され、又、三相ポンプ２の出力が小さいので、流体摩擦抵抗も小さく発熱エネルギーが小さくなり、冷却装置（＝ラジエターその他）が小型化でき、或いは省略でき、安価、低騒音となり、好都合である。
【００４９】
更に又、高効率の三相ポンプ２を使用する為、三相ポンプ２を小型化でき、ポンプ冷却用に設ける冷却ファン（図示省略）を小型化して前記冷却ファンの音を小さくでき、又は無くすることが出来、好都合である。
【００５０】
本発明に係る制御部４は、ＡＣ１００Ｖ電源の電流が１５Ａを越えないように、ヒーター３と三相ポンプ２のうちヒーター３を切り三相ポンプ２を駆動するという優先付け機能を有し、該優先付けに基づいて、三相ポンプ２を優先駆動させるものである。
【００５１】
ＡＣ１００Ｖコンセントに接続するので、装置に流す電流は１５Ａ以下に制限されるため、ヒーター３と併用すると三相ポンプ２の容量が削られ、必要な液体噴射が得られず、好適なマッサージ感は得られない。例えば１Ｋｗの容量のヒーター３に用いると、三相ポンプ２の入力電流は残り５Ａ以下になり、必要な液体噴射が得られないことになる。
【００５２】
そこで、三相ポンプ２の駆動時にはヒーター３に通電しないように予め制御部４で決めておくと、三相ポンプ２の入力電流を略規定値にすることができ、満足するマッサージ感を得ることができ、好都合である。
【００５３】
本発明は、ノズル１１を一基とし、該ノズル１１は縦・横移動できるものであるから、ノズル１１から吐出する液体の吐出力の強度を向上でき、又、集中的に液圧刺激を加えることによってマッサージ感を向上でき、好都合である。
又、好適なマッサージ感を少ない流量で得られる為、流体マサツによる水温上昇が少なく、冷却装置（＝ラジエターその他）が小型化でき、或いは省略でき、好都合である。
【００５４】
本発明は、三相ポンプ２からノズル１１間のホース１２の内径を三相ポンプ３吐出口１３内径と略同等又は同等以上としたものであるから、三相ポンプ３から台車２３の取り入れ口１４までの管抵抗を小さくでき、ノズル１１から吐出する液体の吐出力を強化でき、液圧刺激を高めることによってマッサージ感を向上でき、好都合である。
【００５５】
本発明は、単相１００Ｖの複数の単相ポンプ１６ａ、１６ｂを設け、該各単相ポンプ１６の吐出液体を一箇所に合流させ、単相ポンプ１６のうち、駆動させる単相ポンプの数を増減させて合流液体の吐出力を増減調節するものである。駆動させる単相ポンプの数を変えるという簡単な操作で吐出力を変更出来、好都合である。
更に、当該操作で液圧刺激に変化を持たせることができ、その液圧刺激の変化をもってマッサージ感を向上でき、好都合である。
【００５６】
本発明は、ノズル１１内に整流器３９が形成され、吐出水液の直進性が図られたものであるから、吐出水の散乱を防ぐことができ、ノズル１１から吐出する液体の吐出力の強度を向上でき、それによって液圧刺激が高められマッサージ感を向上でき、好都合である。
【００５７】
本発明は、インバーター１で三相ポンプ２を制御したものであるから、三相ポンプ２の回転数の変更が電気的に容易に行なえ、ノズル１１からの噴射圧の変更が容易に行なえ、電気的ロスを減らせる。又、５０Ｈｚ地域と６０Ｈｚ地域に関わらず同等のポンプ特性が得られ従来の５０Ｈｚ地域で吐出圧が低いといった弊害を解消できる。又、三相ポンプ２の回転をリニアに変えることができ、異なる刺激を与えるマッサージパターンの作成が容易であり、マッサージパターンに係る選択枝を増すことができ、装置の汎用性が増し、マッサージ治療上有利であり、好都合である。
【図面の簡単な説明】
【図１】本発明の第１実施例の内部を透視した左側面図である。
【図２】本発明の第１実施例の電気的構成を示すブロック図である。
【図３】本発明の第２実施例の内部を透視した左側面図である。
【図４】本発明の第２実施例の電気的構成を示すブロック図である。
【図５】本発明の第３実施例の内部を透視し且つ一部を省略した左側面図である。
【符号の説明】
１　インバーター
２　三相ポンプ
３　ヒーター
４　制御部
１１　ノズル
１２　ホース
１３　吐出口
１５　水圧マッサージ器
１６　単相ポンプ
１６ａ　単相ポンプ
１６ｂ　単相ポンプ
３０　可撓膜
３９　整流器
【図１】
2004089541.tif 000003
【図２】
2004089541.tif 000004
【図３】
2004089541.tif 000005
【図４】
2004089541.tif 000006
【図５】
2004089541.tif 000007